(57)【要約】【課題】  転写紙のループ部分がガイドに当る時の音を防止することが可能な画像形成装置の提供を目的としている。【解決手段】  本発明の画像形成装置１は、トナー像を担持する像担持体４ａと、該像担持体４ａに静電潜像を形成する画像書込み部３と、前記静電潜像を現像しトナー像を形成する現像装置４ｂと、前記トナー像を転写紙Ｓに転写する転写装置４ｃと、転写紙の紙曲がりを修正し前記転写装置４ｃへ搬送するレジストローラ１３と、前記レジストローラ１３へ転写紙Ｓを導入するためのガイド２１と、を有し、該ガイド２１に衝撃防止部材２６を設けることを特徴としている。【選択図】図１
2005231809.tif 000002
【特許請求の範囲】
【請求項１】
トナー像を担持する像担持体と、
該像担持体に静電潜像を形成する画像書込み部と、
前記静電潜像を現像しトナー像を形成する現像装置と、
前記トナー像を転写紙に転写する転写装置と、
転写紙の紙曲がりを修正し、前記転写装置へ搬送するレジストローラと、
前記レジストローラへ転写紙を導入するためのガイドと、を有し、
該ガイドに衝撃防止部材を設けることを特徴とする画像形成装置。
【請求項２】
前記レジストローラにおいてループを形成し、前記衝撃防止部材は前記転写紙の前記ループが前記ガイドに当る部分に設けられていることを特徴とする請求項１記載の画像形成装置。
【請求項３】
前記衝撃防止部材は、弾性部材であることを特徴とする請求項１又は２に記載の画像形成装置。
【請求項４】
前記衝撃防止部材は発泡性部材であることを特徴とする請求項１又は２に記載の画像形成装置。
【請求項５】
前記衝撃防止部材には、ＰＥＴシートを貼り付けてあることを特徴とする請求項１から４のいずれかに記載の画像形成装置。
【発明の詳細な説明】
【技術分野】
【０００１】
本発明は、レジストローラに転写紙を導入するガイドに転写紙が当る時の騒音を防止することが可能な画像形成装置に関する。
【背景技術】
【０００２】
画像形成装置は、像担持体・画像書込み装置・現像装置・給紙カセット・転写装置及び定着装置等を有している。画像書込み装置は一様に帯電された像担持体に静電潜像を形成し、現像装置がそれをトナー像として現像する。給紙カセットから転写紙が１枚搬送され、転写装置によって像担持体に形成されたトナー像が転写装置に転写される。その後転写紙は定着装置に搬送されることによってトナー像が転写紙に定着する。このような画像形成装置において、転写装置に転写紙を導入するための搬送経路にはレジストローラが設けられており、転写紙はレジストローラに突き当てられてループを形成することによって転写紙の紙曲がりが修正され、正常な画像形成が可能となっている。
【０００３】
近年、画像形成装置の騒音防止の必要性から、種々の対策が行われているが、搬送径路上で発生する騒音についてもその騒音を防止する対策が行われている（例えば、特許文献１参照）。
【０００４】
特許文献１は、搬送経路の合流部分にある段差を転写紙の後端部分が通過する時に、後端部分が跳ね返り、搬送経路を叩くことによって発生する騒音を防止するものである。具体的には合流部分に可動ガイドを設け、跳ね返りの原因である段差をなくすことによって騒音を防止している。
【特許文献１】特開２０００−７１８４号公報（段落００６９、図２）
【発明の開示】
【発明が解決しようとする課題】
【０００５】
しかし、搬送経路上で発生する騒音には、レジストローラに転写紙を突き当てた時に形成されるループ部分が、レジストローラに転写紙を導入するためのガイドを叩くことによって発生するものもある。特許文献１で示される技術は、転写紙の後端の跳ね返りによる騒音を防止することは可能であるが、ループ形成時に転写紙のループ部分がガイドを叩く時の騒音を防止することはできない。
【０００６】
そこで、本発明は、転写紙のループ部分がガイドに当る時の音を防止することが可能な画像形成装置の提供を目的としている。
【課題を解決するための手段】
【０００７】
上記目的を達成するために、請求項１記載の画像形成装置は、トナー像を担持する像担持体と、該像担持体に静電潜像を形成する画像書込み部と、前記静電潜像を現像しトナー像を形成する現像装置と、前記トナー像を転写紙に転写する転写装置と、転写紙の曲がりを修正し前記転写装置へ搬送するレジストローラと、前記レジストローラへ転写紙を導入するためのガイドと、を有し、該ガイドに衝撃防止部材を設けることを特徴としている。
【０００８】
請求項２記載の画像形成装置は、前記レジストローラにおいてループを形成し、前記衝撃防止部材は前記転写紙の前記ループが前記ガイドに当る部分に設けられていることを特徴としている。
【０００９】
請求項３記載の画像形成装置は、前記衝撃防止部材が弾性部材であることを特徴としており、請求項４記載の画像形成装置は、前記衝撃防止部材は発泡性部材であることを特徴としている。
【００１０】
請求項５記載の画像形成装置は、前記衝撃防止部材には、ＰＥＴシートを貼り付けてあることを特徴としている。
【発明の効果】
【００１１】
請求項１記載の画像形成装置は、像担持体・画像書込み部・転写装置・現像装置・レジストローラ及びガイドを有している。そして、前記ガイドには、衝撃防止部材が設けられている。これによって、転写紙がガイドを叩く時の衝撃を衝撃防止部材が吸収し騒音の発生を防止する。
【００１２】
請求項２記載の画像形成装置は、前記レジストローラにおいて前記転写紙にループを形成する。この時ループ部分がガイドに当る位置に衝撃防止部材を設けることによって騒音の発生を防止できる。
【００１３】
請求項３記載の画像形成装置は、前記衝撃防止部材が弾性部材となっており、請求項４記載の画像形成装置は、前記衝撃防止部材が発泡性部材となっている。これによって、転写紙がガイドを叩く時の騒音を防止することができる。
【００１４】
請求項５記載の画像形成装置は、前記衝撃防止部材には、ＰＥＴシートを貼り付けてある。これによって、転写紙の先端がレジストローラへスムーズに導入される。
【発明を実施するための最良の形態】
【００１５】
以下、本発明の実施の形態を、図面を基に説明する。図１は、本発明の画像形成装置の構成図である。画像形成装置１は、画像処理部２・画像書込み部３・画像形成部４・高圧電源部５・給紙カセット６・定着装置７・排紙ローラ８及び、両面コピーのための再搬送手段９を有している。また、画像形成装置１の上部は原稿読取装置１０と原稿搬送装置１１が搭載されている。
【００１６】
原稿搬送装置１１に載置された原稿ｄは、矢印の示す方向に搬送され原稿読取装置１０の光学系により原稿ｄの片面又は両面の画像がアナログ信号として読み取られる。読み取られたアナログ信号は、画像処理部２において、アナログ処理、Ａ／Ｄ変換、シェーディング補正及び画像圧縮処理等を行われ、画像書込み部３に送られる。
【００１７】
画像書込み部３は、画像処理部２から送られてきた画像データを、像担持体４ａに静電潜像として形成する。これは、画像書込み部３に設けられた半導体レーザの出力光を、一様に帯電された像担持体４ａに照射することで行う。形成された静電潜像は、現像装置４ｂで現像されてトナー像となり、転写装置４ｃによって給紙カセット６から搬送されてきた転写紙Ｓに転写され、定着装置７によってトナー像が転写紙Ｓに定着する。そして、両面コピーモードの場合には搬送路切換板８ａによって再搬送手段９を通り表裏を反転されて、再び画像形成部４へ搬送される。画像形成が終了した場合は、排紙ローラ８によって画像形成装置１の外部へ排出される。
【００１８】
給紙カセット６は、転写紙Ｓを１枚だけ取り出し、画像形成部４へ搬送する給紙手段１２と共に給紙装置を構成している。給紙手段１２はピックアップローラ１２ａと給紙ローラ１２ｂとを有する。給紙カセット６に格納されている転写紙Ｓのうち一番上にある１枚をピックアップローラ１２ａが取り出し、給紙ローラ１２ｂによって画像形成部４へ搬送する。画像形成部４の直前には転写紙Ｓの紙曲がりを修正するレジストローラ１３があり、レジストローラ１３の手前には転写紙Ｓを検知する検知手段１４がある。
【００１９】
図２は、レジストローラ周辺の構成を示す図である。レジストローラ１３の上流側には転写紙Ｓをレジストローラ１３へ導入するためのガイド２１がある。図１の上段にある給紙カセット６から給紙された転写紙Ｓは、搬送経路２２を通り搬送ローラ２３にニップされてレジストローラ１３へ搬送される。転写紙Ｓがレジストローラ１３へ搬送されていくと、検知手段１４が転写紙Ｓを検知する。搬送ローラ２３は検知手段１４が転写紙Ｓを検知した後、所定の時間が経過するまで駆動を続ける。それによって転写紙Ｓの先端がレジストローラ１３のニップ点に突き当たり、搬送ローラ２３とレジストローラ１３との間で転写紙Ｓがループと呼ばれるたわみを形成する。このような動作によって転写紙Ｓの紙曲がりが修正され、転写紙Ｓの正しい位置に画像が形成される。転写紙Ｓのループ部分は、形成時にガイド２１を叩く。図２では転写紙Ｓを挟む様に左右に設けられたガイド２１，２１のうち、右側のガイド２１にループが形成されているが、左側のガイド２１を叩くようにループが形成される場合もある。
【００２０】
転写紙Ｓが搬送される搬送経路は搬送経路２２の他に、図１で示した２つある給紙カセット６，６のうち下段にある給紙カセット６からの転写紙Ｓが搬送される搬送経路２４及び、図示しない手差しトレイから給紙された転写紙Ｓが搬送される搬送経路２５といった複数の搬送経路があり、ガイド２１よりも手前側で合流して１つの搬送経路となっている。
【００２１】
図３はガイド２１を拡大した図である。ガイド２１には、転写紙Ｓが当る面に衝撃防止部材２６が取り付けられている。転写紙Ｓは、レジストローラ１３に突き当たりループを形成する時にガイド２１を叩く。その位置に衝撃防止部材２６を設けることで、衝撃防止部材２６がループ形成時の衝撃を吸収し、騒音を防止することができる。
【００２２】
衝撃防止部材２６としては、弾性部材や発泡性部材等を用いることができる。弾性部材の代表的な例としてはウレタンゴム等があり、発泡性部材の代表的な例としてはモルトプレーン等がある。
【００２３】
衝撃防止部材２６の素材の材質によっては、転写紙Ｓの先端部等が衝撃防止部材２６に引っ掛かり、紙詰まりの原因になることも考えられる。そのような場合には、衝撃防止部材２６にＰＥＴ（ポリエチレンテレフタレート）シート２７等の表面が滑らかな部材を貼り付けることによって、レジストローラ１３への転写紙Ｓの導入をスムーズに行うことが出来るようになる。このようにＰＥＴシート２７を貼り付けた場合でも、衝撃防止部材２６によって騒音を抑えることが可能である。
【００２４】
なお、上記の実施例ではレジストローラ１３へ転写紙Ｓを搬送する搬送経路２２，２４，２５が転写紙Ｓを鉛直方向へ搬送する形になっているが、本発明はこのようなものに限定するものではなく、水平方向へ搬送する形であってもよい。また、本発明はカラー画像形成装置にも実施が可能である。
【図面の簡単な説明】
【００２５】
【図１】本発明の画像形成装置の構成図である。
【図２】レジストローラ周辺の構成を示す図である。
【図３】ガイドを拡大した図である。
【符号の説明】
【００２６】
１      画像形成装置
３      画像書込み部
４ａ    像担持体
４ｂ    現像装置
４ｃ    転写装置
１３    レジストローラ
２１    ガイド
２６    衝撃防止部材
２７    ＰＥＴシート
Ｓ      転写紙
【図１】
2005231809.tif 000003
【図２】
2005231809.tif 000004
【図３】
2005231809.tif 000005